(57)【要約】【課題】荷電粒子ビーム顕微鏡内のサンプルを処理する方法。【解決手段】サンプルは基体から収集され、サンプルはナノマニピュレータの先端に取り付けられる。後続の処理を最適化するため、サンプルは、任意に方向付けられる。  ナノマニピュレータの先端は、安定化支持体と接触させられ、サンプルのドリフト又は振動を最小化される。  次に、取り付けられたサンプルは、安定化され、調整と解析が行われる。【選択図】図１
2014522992.tif 000002
【特許請求の範囲】
【請求項１】
ナノマニピュレータの先端により保持されたサンプルを処理する方法であって、
後続の処理を行う前に、前記ナノマニピュレータの先端を安定化支持体と接触させることを備えることを特徴とする方法。
【請求項２】
請求項１に記載の方法であって、
後続の処理を最適化するために、前記サンプルを方向付けることを備える方法。
【請求項３】
請求項１に記載の方法であって、解析のため、安定化されたサンプルを準備することを備える方法。
【請求項４】
請求項１に記載の方法であって、前記安定化されたサンプルを解析することを備える方法。
【請求項５】
請求項１に記載の方法であって、前記ナノマニピュレータの先端を前記安定化支持体と接触させることは、更に前記ナノマニピュレータの先端を移動させて、前記安定化支持体と接触させることを備える方法。
【請求項６】
請求項１に記載の方法であって、前記ナノマニピュレータの先端を前記安定化支持体と接触させることは、更に前記安定化支持体を移動させて、前記ナノマニピュレータの先端と接触させることを備える方法。
【請求項７】
請求項３に記載の方法であって、前記サンプルを準備することは、イオンビームミリングを行い、サンプルを形作ることを備える方法。
【請求項８】
請求項４に記載の方法であって、前記サンプルを解析することは、前記サンプルを走査透過型電子顕微鏡法で解析することを備える方法。
【請求項９】
請求項４に記載の方法であって、前記サンプルを解析することは、前記サンプルのエネルギー拡散Ｘ線解析を備える方法。
【請求項１０】
荷電粒子ビーム顕微鏡内のサンプルを処理する方法であって、
基体からサンプルを収集し、
前記サンプルをナノマニピュレータの先端に取り付け、
後続の処理を最適化するため、前記サンプルを方向付け、
前記ナノマニピュレータの先端を安定化支持体と接触させ、
前記サンプルを解析のため準備し、
前記サンプルを解析する、
ステップを備えることを備えることを特徴とする方法。
【請求項１１】
請求項１０に記載の方法であって、前記サンプルを準備することは、イオンビームミリングを行い、サンプルを形作ることを備える方法。
【請求項１２】
請求項１０に記載の方法であって、前記サンプルを解析することは、前記サンプルの走査透過型電子顕微鏡で行うことを備える方法。
【請求項１３】
請求項１０に記載の方法であって、前記サンプルを解析することは、前記サンプルのエネルギー拡散Ｘ線解析を備える方法。
【請求項１４】
製品であって、
ナノマニピュレータの先端と、
前記ナノマニピュレータの先端に取り付けられたサンプルと、
安定化支持体と、を備え、
前記ナノマニピュレータの先端は、安定化支持体と物理的に接触することを特徴とする製品。
【請求項１５】
請求項１４に記載の製品であって、前記安定化支持体は、Ｖノッチを備える製品。
【発明の詳細な説明】
【技術分野】
【０００１】
[0001]  本出願は、2011年8月8日出願の米国仮出願No.61/521/040号に基づく優先権を主張する。この仮出願の全体をここに参照する。
【背景技術】
【０００２】
[0002]  本出願は、顕微鏡用サンプルを処理し解析する方法と装置に関し、特に集束イオンビーム顕微鏡（ＦＩＢ）、走査電子顕微鏡（ＳＥＭ）等の荷電粒子器機の内部で処理し解析する方法と装置に関する。
【０００３】
[0003]  透過電子顕微鏡（ＴＥＭ）のサンプル調整のための薄膜（ラメラ）製造のＦＩＢプロセスは、長年半導体工業で使用されてきた。このようなサンプル調整には、ＦＩＢの原位置リフトアウト（ＩＮＬＯ）サンプル調整のためのナノマニピュレータの使用を含み、サンプルは半導体ウェハ等の基体から持ち上げられる（リフト）。薄膜に加えて、ＩＮＬＯサンプルは、くさび、マイクロピラー等の他の形状にも適用され、荷電粒子顕微鏡のチャンバ内で直接行われるＩＮＬＯ-ＴＥＭタイプの原位置サンプル解析にも適用された。これらの解析の種類の例は、ＳＴＥＭ、ＥＤＳ、ＥＢＳＤ等である。伝統的なＩＮＬＯサンプル調整は、３つの主なステップからなる。
1)  誘導ビームＣＶＤ堆積、接着剤、静電気又は他の取付手段により、ナノマニピュレータの微細（ファイン）プローブ先端等のエンドエフェクタを、解析するサンプルに取り付ける。
2)  エンドエフェクタにより取付け、支持される間、サンプルを元の位置から持ち上げる。
3)  持ち上げたサンプルを、ＴＥＭグリッド等の新しい基体又はホルダーに取り付けて、イオンビームによるサンプル成形等の処理を完了させる、又は（前述した、ＳＴＥＭ、ＥＤＳ、ＥＢＳＤ、又はＴＥＭ解析等の）色々の解析手段により、原位置又は当初の荷電粒子顕微鏡のチャンバの外の位置で、検査する。
【発明の概要】
【発明が解決しようとする課題】
【０００４】
[0004]  ＩＮＬＯサンプルが更に処理し解析される前に、二次支持体に取り付けられるのは、３つの主な理由がある。第１に、こうすると、荷電粒子ビーム顕微鏡のステージの自由度を使用して、サンプルを容易に異なる方向に操作することが出来、所望の処理又は解析結果を達成することが出来る。第２に、顕微鏡のステージに直接結合した支持体上にサンプルを置くことにより、ステージ以外のドリフト又は振動以外の追加のドリフト又は振動の効果を避けることが出来る。第３に、二次ホルダー又は支持体により、サンプルを保管するとき又は異なる器機間を移動するとき、サンプルを容易に取り扱うことが出来る。
【０００５】
[0005]  荷電粒子ビーム機器の画像形成の要求は、厳しい。特に、オングストロームから数ｎｍの範囲の解像度の上限で画像形成するときは、厳しい。最小の振動又はドリフトでも、処理と解析に干渉するかもしれない。ある場合、所望の性能を達成するために、荷電粒子ビーム顕微鏡の各不要な付属物は除去される。各付属物は、それ自身のドリフトと振動をチャンバ全体に加えるからである。これらの荷電粒子ビーム機器の付属物であるナノマニピュレータは、それ自身の固有のドリフトと振動を有する。サンプルがナノマニピュレータのエンドエフェクタに保持されているとき、処理又は解析を行うのなら、所望の結果を得るためには、外乱は最小にしなければならない。
【課題を解決するための手段】
【０００６】
[0006]  実際には、サンプルは、方向付けステップが終了した後、第２支持体の上に配置され、処理、画像形成、解析の間のドリフトと振動に対して安定性を与える。エンドエフェクタ上にあるとき、処理と解析を行う解決策がないことは、貴重な器機内にある時間が、第３のＥＮＬＯステップで、持ち上げたサンプルをホルダー等の第２の支持体に取り付けることに使われることを意味する。
【０００７】
[0007]  必要なことは、持ち上げられたサンプルをナノマニピュレータのエンドエフェクタに取り付ける第２のリフトアウトステップの後に、サンプルを第２のホルダーに取り付ける必要なく、処理と解析を達成する手段である。
【図面の簡単な説明】
【０００８】
【図１】サンプル120が、ナノマニピュレータのエンドエフェクタ又は先端110により保持されている間に、サンプルを収集し、処理し、解析する方法の実施形態を示す図である。ここに、エンドエフェクタ110は、顕微鏡のステージ100に取り付けられた安定化支持体130のまっすぐなエッジ150に接触している。
【図２】サンプル120がナノマニピュレータのエンドエフェクタ110により保持されている間に、サンプルを収集し、処理し、解析する方法の別の実施形態を示す図である。エンドエフェクタ110は、顕微鏡ステージ100に取り付けられた安定支持台130のまっすぐなエッジ150に作られたＶ溝160に接触している。
【図３】本発明方法を示すフローチャートである。
【発明を実施するための形態】
【０００９】
[0011]  本出願では、「ＦＩＢ」、又は「荷電粒子器機」という用語を、１つ又はそれ以上の放射ビームを使用し、真空中で、化学蒸着処理、エッチング、画像形成、試料のリフトアウトを行う、任意の機器に使用する。ここで使用するこれらの用語は、イオンビーム、電子ビーム、他の荷電粒子、又はレーザ光のビーム等の光エネルギー、又はこれらのビームの任意の組み合わせを含むビームを使用する器機を含む。特に断らない限り、「エンドエフェクタ」、「プローブ先端（チップ）」、又は「先端」は、リフトアウト又は操作のため試料に取り付けられるマニピュレータ装置の任意の部分、及びその同等物を示す。好適なナノマニピュレータシステムは、テキサス州ダラスのオムニプローブにより製造されえたオートプローブ３００である。オムニプローブの装置では、エンドエフェクタは典型的には、細いタングステン針のプローブ先端である。
【００１０】
[0012]  ドリフトと振動を減らす要求に対する解決策は、持ち上げたサンプルを保持するエンドエフェクタを、顕微鏡ステージ100に固定された支持体構造に接触するまで動かし、十分な押し力が得られるまで、エンドエフェクタを支持体に対して動かし続けることにより、提供される。こうすると、認識できる振動は観測されない。この方法では、400,000倍の倍率でも振動は観測されない。そして、サンプルが先端に保持されている間に、正確な処理と解析を行うことが出来る。
【００１１】
[0013]  図３のフローチャートは、本発明方法のステップを示す。ステップは、任意にステップ310の収集前のサンプル方向付けで始まることが出来る。ナノマニピュレータの先端110で基体（図示せず）からサンプル120を収集する前に、基体を支持する顕微鏡ステージ100等の支持体を位置決めし、そして、ナノマニピュレータの先端110でサンプル120が収集された後に、サンプル120収集後のナノマニピュレータを使用して、ナノマニピュレータの先端110上のサンプル120の位置が後続の処理のために最適化される、又はサンプル120収集後の最終の方向付けに適するようにすることが出来る。
【００１２】
[0014]  ステップ320の処理のサンプル収集ステップで、サンプル120をナノマニピュレータの先端110に取り付けることにより、サンプル120は基体から収集される。取り付けは、例えば、静電力、接着剤、機械的握把により行うことが出来、又は化学蒸着を使った荷電粒子ビーム補助材料堆積、又は付近の固体からの化学蒸着ビーム誘導再堆積を使用した材料堆積により行うことが出来る。取り付ける手段は、上述した例に限定されない。一旦収集されると、ナノマニピュレータを使用して、サンプル120を後続の方向付けと準備のために好適な位置へ移動させることが出来る。
【００１３】
[0015]  ステップ330で、サンプル120は、任意に方向付けることが出来る。サンプル120がナノマニピュレータの先端110上に収集された後、ナノマニピュレータの先端110は、ナノマニピュレータの直交するＸ、Ｙ、Ｚ軸、ナノマニピュレータの先端110の軸の周りの回転、ナノマニピュレータの先端110の軸に直交するピッチ軸の周りの、ナノマニピュレータの先端110のピッチ（傾斜）を使用して、後続の処理を最適化するように位置決めすることが出来る。
【００１４】
[0016]  ステップ340で、先端を安定化させることが出来る。図１と図２はそのプロセスを示す。サンプル120が収集され、任意にナノマニピュレータの先端110の方向が最適化された後、ナノマニピュレータの先端110を安定化支持体130に物理的に接触させることにより、ナノマニピュレータの先端110は、機械的に安定化させることが出来る。これは、ナノマニピュレータの先端110を安定化支持体130まで移動し、又は安定化支持体130をナノマニピュレータの先端110と接触するように移動し、又は両方の動きを行うことにより達成することが出来る。
安定化支持体130は、受動的な直線エッジ150、又は他の実施形態140では、図２に示されるＶノッチ160のある受動的な直線エッジでもよい。又は、荷電粒子ビームに対するサンプルの振動とドリフトを受動的に最小限にするような複雑な形状でもよい。このような形状には、ナノマニピュレータの先端110を機械的に捕獲する形状が含まれる。また、安定化支持体130は、荷電粒子ビームの画像から、又はセンサ、又はナノマニピュレータに取り付けられたセンサから、サンプルステージ100又は荷電粒子ビーム顕微鏡へのフィードバック制御を使用して、能動的なドリフト又は振動最小化を提供することが出来る。
【００１５】
[0017]  ステップ350で、サンプル120を準備するか、又はそのとき解析するか決定する。サンプルの準備（ステップ360）は、サンプル120の形状を変化させること、熱を使用してサンプルをアニーリングするなどのサンプル120の特性を変化させることを含む。粒子ビームを使用して、サンプル120を形状修正し、後続の解析に最適になるようにすることが出来る。サンプル120の形状修正は、例えばイオンビームミリングにより材料を除去することを含む。形状修正は、また、後続の解析で特定の形状が要求されるなら、例えば荷電粒子ビーム補助堆積で材料を追加することを含む。
【００１６】
[0018]  ステップ370で、サンプル120が解析される。サンプル120は一旦準備されると、透過電子顕微鏡（ＳＴＥＭ）、又はエネルギー分散Ｘ線解析（ＥＤＳ）等を使用する荷電粒子ビーム顕微鏡内で、直ちに解析することが出来る。又はサンプル120を取り出し、解析のため、透過電子顕微鏡（ＴＥＭ）等の別の器機に入れることも出来る。
【００１７】
[0019]  本出願の如何なる記述も、特定の要素、ステップ又は機能が、特許請求の範囲に含まれる必須の要素であると解釈してはいけない。特許される対象は、特許請求の範囲のみにより定義される。更に、特許請求の範囲の「・・手段」は特定のものを表すと解釈してはならない。特許請求の範囲は、できるだけ分かりやすく記載することを意図し、どのような対象も意図的に放棄せず、公共の用に供せず、又は断念していない。
【符号の説明】
【００１８】
100  ステージ
110  ナノマニピュレータの先端
120  サンプル
130  安定化支持体
150  直線エッジ
160  Ｖノッチ
【図１】
2014522992.tif 000003
【図２】
2014522992.tif 000004
【図３】
2014522992.tif 000005
【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
ナノマニピュレータの先端により保持されたサンプルを処理する方法であって、
前記ナノマニピュレータの先端を安定化支持体と接触させ、
フィードバック制御を使用して、前記サンプルを安定化させるステップを備え、
フィードバック制御を使用して、前記サンプルを安定化させるステップは、前記サンプルの認識できる振動が実質的に観測できなくなるまで、前記ナノマニピュレータの先端を、前記安定化支持体に対して移動させることを備えることを特徴とする方法。
【請求項２】
請求項１に記載の方法であって、
後続の処理を最適化するために、前記サンプルを方向付けることを備える方法。
【請求項３】
請求項１に記載の方法であって、解析のため、安定化されたサンプルを準備することを備える方法。
【請求項４】
請求項１に記載の方法であって、前記安定化されたサンプルを解析することを備える方法。
【請求項５】
請求項１に記載の方法であって、前記ナノマニピュレータの先端を前記安定化支持体と接触させることは、更に前記ナノマニピュレータの先端を移動させて、前記安定化支持体と接触させることを備える方法。
【請求項６】
請求項１に記載の方法であって、前記ナノマニピュレータの先端を前記安定化支持体と接触させることは、更に前記安定化支持体を移動させて、前記ナノマニピュレータの先端と接触させることを備える方法。
【請求項７】
請求項３に記載の方法であって、前記サンプルを準備することは、イオンビームミリングを行い、サンプルを形作ることを備える方法。
【請求項８】
請求項４に記載の方法であって、前記サンプルを解析することは、前記サンプルを走査透過型電子顕微鏡法で解析することを備える方法。
【請求項９】
請求項４に記載の方法であって、前記サンプルを解析することは、前記サンプルのエネルギー拡散Ｘ線解析を備える方法。
【請求項１０】
荷電粒子ビーム顕微鏡内のサンプルを処理する方法であって、
基体からサンプルを収集し、
前記サンプルをナノマニピュレータの先端に取り付け、
後続の処理を最適化するため、前記サンプルを方向付け、
前記ナノマニピュレータの先端を安定化支持体と接触させ、
フィードバック制御を使用して、前記サンプルを安定化させるステップを備え、
フィードバック制御を使用して、前記サンプルを安定化させるステップは、前記サンプルの認識できる振動が実質的に観測できなくなるまで、前記ナノマニピュレータの先端を、前記安定化支持体に対して移動させることを備え、
更に、前記サンプルを解析のため準備し、
前記サンプルを解析する、
ステップを備えることを備えることを特徴とする方法。
【請求項１１】
請求項１０に記載の方法であって、前記サンプルを準備することは、イオンビームミリングを行い、サンプルを形作ることを備える方法。
【請求項１２】
請求項１０に記載の方法であって、前記サンプルを解析することは、前記サンプルを走査透過型電子顕微鏡法で解析することを備える方法。
【請求項１３】
請求項１０に記載の方法であって、前記サンプルを解析することは、前記サンプルのエネルギー拡散Ｘ線解析を備える方法。
【国際調査報告】
2014522992.tif 000006
2014522992.tif 000007